(57)【特許請求の範囲】
【請求項１】
２次元コードを含む画像を読み取る読取手段と、
読み取った二次元コードを二次元コードの内容に応じてデータ変換するデータ変換手段と、
前記変換されたデータを含む画像を用紙に印刷する印刷手段と、
を備え、
二次元コードが複数存在する場合には、前記変換手段は、前記読取手段により読み取られた複数の二次元コードに含まれる情報を、各二次元コードに含まれる情報に識別情報を付して一つの二次元コードに変換し、
前記印刷手段は、前記変換された二次元コードを用紙の余白に印刷するとともに、前記各識別情報を、元の二次元コードに対応する位置関係で、用紙に印刷することを特徴とする画像形成装置。
【請求項２】
２次元コードを含む画像を読み取る読取手段と、
読み取った二次元コードを二次元コードの内容に応じてデータ変換するデータ変換手段と、
前記変換されたデータを含む画像を用紙に印刷する印刷手段と、
を備え、
二次元コードが複数存在する場合には、前記変換手段は、前記読取手段により読み取られた複数の二次元コードに含まれる情報を一つの二次元コードに変換し、
前記印刷手段は、前記変換された二次元コードを用紙の余白に印刷するとともに、変換された二次元コードを用紙の余白に印刷することができない場合には、二次元コードに含まれる情報を二次元コードに変換しない形態で用紙の余白に印刷することを特徴とする画像形成装置。
【請求項３】
２次元コードを含む画像を読み取る読取手段と、
読み取った二次元コードを二次元コードの内容に応じてデータ変換するデータ変換手段と、
前記変換されたデータを含む画像を用紙に印刷する印刷手段と、
を備え、
二次元コードを含む画像の縮小印刷が指示された場合であって、印刷後の二次元コードが読み取り不可能な大きさに縮小されることが認識された場合には、前記変換手段は、指示された縮小倍率にかかわらず、二次元コードに含まれる情報を読み取り可能な大きさの二次元コードに変換し、
前記印刷手段は、前記変換された二次元コードを用紙の余白に印刷するとともに、変換された二次元コードを用紙の余白に印刷することができない場合には、二次元コードに含まれる情報を二次元コードに変換しない形態で用紙の余白に印刷することを特徴とする画像形成装置。
【請求項４】
前記二次元コードに含まれる情報がＵＲＬである請求項２または３に記載の画像形成装置。
【請求項５】
２次元コードを含む画像を読取手段により読み取る読取ステップと、
読み取った二次元コードを二次元コードの内容に応じてデータ変換手段によりデータ変換する変換ステップと、
前記変換されたデータを含む画像を用紙に印刷手段により印刷する印刷ステップと、
を備え、
二次元コードが複数存在する場合には、前記変換ステップでは、前記読取ステップにおいて読み取られた複数の二次元コードに含まれる情報を、各二次元コードに含まれる情報に識別情報を付して一つの二次元コードに変換し、
前記印刷ステップでは、前記変換された二次元コードを用紙の余白に印刷するとともに、前記各識別情報を、元の二次元コードに対応する位置関係で、用紙に印刷することを特徴とする画像形成方法。
【請求項６】
２次元コードを含む画像を読取手段により読み取る読取ステップと、
読み取った二次元コードを二次元コードの内容に応じてデータ変換手段によりデータ変換する変換ステップと、
前記変換されたデータを含む画像を用紙に印刷手段により印刷する印刷ステップと、
を備え、
二次元コードが複数存在する場合には、前記変換ステップでは、前記読取ステップにおいて読み取られた複数の二次元コードに含まれる情報を一つの二次元コードに変換し、
前記印刷ステップでは、前記変換された二次元コードを用紙の余白に印刷するとともに、変換された二次元コードを用紙の余白に印刷することができない場合には、二次元コードに含まれる情報を二次元コードに変換しない形態で用紙の余白に印刷することを特徴とする画像形成方法。
【請求項７】
２次元コードを含む画像を読取手段により読み取る読取ステップと、
読み取った二次元コードを二次元コードの内容に応じてデータ変換手段によりデータ変換する変換ステップと、
前記変換されたデータを含む画像を用紙に印刷手段により印刷する印刷ステップと、
を備え、
二次元コードを含む画像の縮小印刷が指示された場合であって、印刷後の二次元コードが読み取り不可能な大きさに縮小されることが認識された場合には、前記変換ステップでは、指示された縮小倍率にかかわらず、二次元コードに含まれる情報を読み取り可能な大きさの二次元コードに変換し、
前記印刷ステップでは、前記変換された二次元コードを用紙の余白に印刷するとともに、変換された二次元コードを用紙の余白に印刷することができない場合には、二次元コードに含まれる情報を二次元コードに変換しない形態で用紙の余白に印刷することを特徴とする画像形成方法。
【請求項８】
前記二次元コードに含まれる情報がＵＲＬである請求項６または７に記載の画像形成方法。
【発明の詳細な説明】
【技術分野】
【０００１】
この発明は、二次元コードが付された画像を読み取って印刷するのに用いられる、複写機やデジタル複合機であるＭＦＰ（Multi Function Peripherals) などの画像形成装置、及び画像形成方法に関する。
【背景技術】
【０００２】
従来、この種の装置として、バーコードが付された原稿画像の読み取りにおいて、画像のデータの縮小の指示があった場合、画像の読み取り精度を変えることなく等倍で読み取らせる一方、バーコードについては、指示通り縮小して印刷するようにした技術が開示されている（例えば、特許文献１参照）。
【特許文献１】特開２００４−１５３６３８号公報
【発明の開示】
【発明が解決しようとする課題】
【０００３】
ところが、上記した従来技術においては、縮小印刷の指示があれば、バーコードがそのまま縮小されて印刷されるから、実際に印刷されたバーコードを再度、読み取ろうとした場合、読み取り可能なサイズ以下に縮小印刷されていることがあり、前記バーコードの読み取りが不可能になるという問題があった。
【０００４】
この発明は、上記実情に鑑みてなされたものであり、読み取りが不可能な縮小印刷を防止するなど、二次元コードの内容に応じて好適な印刷を行うことができる画像形成装置及び画像形成方法を提供することを課題とする。
【課題を解決するための手段】
【０００５】
上記課題は、以下の手段によって解決される。
【０００６】
（１）２次元コードを含む画像を読み取る読取手段と、読み取った二次元コードを二次元コードの内容に応じてデータ変換するデータ変換手段と、前記変換されたデータを含む画像を用紙に印刷する印刷手段と、を備え、二次元コードが複数存在する場合には、前記変換手段は、前記読取手段により読み取られた複数の二次元コードに含まれる情報を、各二次元コードに含まれる情報に識別情報を付して一つの二次元コードに変換し、前記印刷手段は、前記変換された二次元コードを用紙の余白に印刷するとともに、前記各識別情報を、元の二次元コードに対応する位置関係で、用紙に印刷することを特徴とする画像形成装置。
【０００７】
（２）２次元コードを含む画像を読み取る読取手段と、読み取った二次元コードを二次元コードの内容に応じてデータ変換するデータ変換手段と、前記変換されたデータを含む画像を用紙に印刷する印刷手段と、を備え、二次元コードが複数存在する場合には、前記変換手段は、前記読取手段により読み取られた複数の二次元コードに含まれる情報を一つの二次元コードに変換し、前記印刷手段は、前記変換された二次元コードを用紙の余白に印刷するとともに、変換された二次元コードを用紙の余白に印刷することができない場合には、二次元コードに含まれる情報を二次元コードに変換しない形態で用紙の余白に印刷することを特徴とする画像形成装置。
【０００８】
（３）２次元コードを含む画像を読み取る読取手段と、読み取った二次元コードを二次元コードの内容に応じてデータ変換するデータ変換手段と、前記変換されたデータを含む画像を用紙に印刷する印刷手段と、を備え、二次元コードを含む画像の縮小印刷が指示された場合であって、印刷後の二次元コードが読み取り不可能な大きさに縮小されることが認識された場合には、前記変換手段は、指示された縮小倍率にかかわらず、二次元コードに含まれる情報を読み取り可能な大きさの二次元コードに変換し、前記印刷手段は、前記変換された二次元コードを用紙の余白に印刷するとともに、変換された二次元コードを用紙の余白に印刷することができない場合には、二次元コードに含まれる情報を二次元コードに変換しない形態で用紙の余白に印刷することを特徴とする画像形成装置。
【０００９】
（４）前記二次元コードに含まれる情報がＵＲＬである前項２または３に記載の画像形成装置。
【００１０】
（５）２次元コードを含む画像を読取手段により読み取る読取ステップと、読み取った二次元コードを二次元コードの内容に応じてデータ変換手段によりデータ変換する変換ステップと、前記変換されたデータを含む画像を用紙に印刷手段により印刷する印刷ステップと、を備え、二次元コードが複数存在する場合には、前記変換ステップでは、前記読取ステップにおいて読み取られた複数の二次元コードに含まれる情報を、各二次元コードに含まれる情報に識別情報を付して一つの二次元コードに変換し、前記印刷ステップでは、前記変換された二次元コードを用紙の余白に印刷するとともに、前記各識別情報を、元の二次元コードに対応する位置関係で、用紙に印刷することを特徴とする画像形成方法。
【００１１】
（６）２次元コードを含む画像を読取手段により読み取る読取ステップと、読み取った二次元コードを二次元コードの内容に応じてデータ変換手段によりデータ変換する変換ステップと、前記変換されたデータを含む画像を用紙に印刷手段により印刷する印刷ステップと、を備え、二次元コードが複数存在する場合には、前記変換ステップでは、前記読取ステップにおいて読み取られた複数の二次元コードに含まれる情報を一つの二次元コードに変換し、前記印刷ステップでは、前記変換された二次元コードを用紙の余白に印刷するとともに、変換された二次元コードを用紙の余白に印刷することができない場合には、二次元コードに含まれる情報を二次元コードに変換しない形態で用紙の余白に印刷することを特徴とする画像形成方法。
【００１２】
（７）２次元コードを含む画像を読取手段により読み取る読取ステップと、読み取った二次元コードを二次元コードの内容に応じてデータ変換手段によりデータ変換する変換ステップと、前記変換されたデータを含む画像を用紙に印刷手段により印刷する印刷ステップと、を備え、二次元コードを含む画像の縮小印刷が指示された場合であって、印刷後の二次元コードが読み取り不可能な大きさに縮小されることが認識された場合には、前記変換ステップでは、指示された縮小倍率にかかわらず、二次元コードに含まれる情報を読み取り可能な大きさの二次元コードに変換し、前記印刷ステップでは、前記変換された二次元コードを用紙の余白に印刷するとともに、変換された二次元コードを用紙の余白に印刷することができない場合には、二次元コードに含まれる情報を二次元コードに変換しない形態で用紙の余白に印刷することを特徴とする画像形成方法。
【００１３】
（８）前記二次元コードに含まれる情報がＵＲＬである前項６または７に記載の画像形成方法。
【発明の効果】
【００１４】
前項（１）に記載の発明によれば、二次元コードが含まれる画像を印刷する場合に、読取手段により読み取られた二次元コードをその内容に応じてデータ変換して用紙に印刷するから、例えば、読み取りが不可能な大きさに二次元コードの縮小印刷が指示されたように場合であっても、これを回避するような形態のデータに変換して印刷することができる。また、二次元コードが複数存在する場合には、読取手段により読み取られた複数の二次元コードに含まれる情報が一つの二次元コードに変換されて用紙の余白に印刷されるから、二次元コードの面積が少なくなり、このため一つの二次元コードを大きく印刷することができ、印刷後の二次元コードを支障なく読み取ることができる。また、複数個の二次元コードが１個の二次元コードにまとめられて印刷されるから、印刷時のトナー消費量を少なくできる。また、各二次元コードに含まれる情報に付された識別情報が、元の二次元コードに対応する位置関係で、用紙に印刷されるから、変換前後の二次元コードを対比して把握することができる。
【００１６】
前項（２）に記載の発明によれば、二次元コードが複数存在する場合には、読取手段により読み取られた複数の二次元コードに含まれる情報が一つの二次元コードに変換されて用紙の余白に印刷されるから、二次元コードの面積が少なくなり、このため一つの二次元コードを大きく印刷することができ、印刷後の二次元コードを支障なく読み取ることができる。また、複数個の二次元コードが１個の二次元コードにまとめられて印刷されるから、印刷時のトナー消費量を少なくできる。また、変換された二次元コードを用紙の余白に印刷することができない場合には、二次元コードに含まれる情報が二次元コードに変換されない形態で用紙の余白に印刷されるから、二次元コードの情報内容を容易に把握することができる。
【００１８】
前項（３）に記載の発明によれば、二次元コードを含む画像の縮小印刷が指示された場合であって、印刷後の二次元コードが読み取り不可能な大きさに縮小されることが認識された場合には、指示された縮小倍率にかかわらず、二次元コードに含まれる情報は読み取り可能な大きさの二次元コードに変換され、かつ用紙の余白に印刷されるから、印刷後に二次元コードを支障なく読み取ることができる。
【００１９】
また、変換された二次元コードを用紙の余白に印刷することができない場合には、二次元コードに含まれる情報が二次元コードに変換されない形態で用紙の余白に印刷されるから、二次元コードの情報内容を容易に把握することができる。
【００２０】
前項（４）に記載の発明によれば、二次元コードに含まれる情報であるＵＲＬを、用紙の余白部分に印刷することができる。
【００２１】
前項（５）に記載の発明によれば、二次元コードが含まれる画像を印刷する場合に、読み取られた二次元コードをその内容に応じて変換して印刷するから、例えば、読み取りが不可能な大きさに二次元コードの縮小印刷が指示されたように場合であっても、これを回避するような形態のデータに変換して印刷することができる。
【発明を実施するための最良の形態】
【００２２】
この発明の一施形態を図面に基づいて説明する。
【００２３】
図１は、この発明の一施形態に係る画像形成装置であるデジタル複合機（ＭＦＰ）の電気的構成を示すブロック図である。
【００２４】
なお、ここでは、画像に付される二次元コードとして、ＱＲ(Quick Response)コードを例に説明する。
【００２５】
図１において、このデジタル複合機１００は、情報処理部３０１と、画像読み取り部３０３と、画像形成部３０４とを備えている。
【００２６】
前記情報処理部３０１は、不揮発性メモリ３０４と、操作部３０５と、画像変換部３０６と、データ入出力部３０７と、データ判断部３０８と、制御部３１０と、表示部３１１と、画像メモリ３１２とを備えている。
【００２７】
前記不揮発性メモリ３０４は、例えばハードディスク（ＨＤＤ）などであり、画像データやジョブ条件などが格納されるものである。
【００２８】
前記操作部３０５は、印刷モードやコピーモード等各種モードの設定・選択や、入力設定などを行うためのキー部（図示せず）の他に、前記表示部３１１を備えており、操作パネルから構成されている。
【００２９】
前記画像変換部３０６は、例えば図２に示すように、ＱＲコードＤが付された原稿画像Ｇを読み込んだ際に、縮小印刷の指示がなされている場合等に、そのＱＲコードＤの内容（情報のデータ量など）に応じた形態にＱＲコードＤを変換するものである。例えばＱＲコードＤに含まれる情報のデータ量が一定量未満の場合には、元の二次元コードを縮小したミニＱＲコードに変換したり、また、ＱＲコードＤが複数存在する場合には、それらの情報を一つにまとめるとともに、一つのＱＲコードＤ０に変換する。
【００３０】
前記データ入出力部３０７は、前記画像変換部３０６と制御部３１０との間で、読み取りデータの授受を行うものである。
【００３１】
前記データ判断部３０８は、前記画像読み取り部３０３により、ＱＲコードＤの付された画像Ｇを読み込んだ際、ＱＲコードＤのデータ量が一定量未満か否かを判断したり、あるいは読み込んだＱＲコードＤが複数か否かを判断したり、印刷後の二次元コードが読み取り不可能な大きさに縮小されるかどうかなどを判断するものである。
【００３２】
前記制御部３１０は、ＲＡＭ４０３およびＲＯＭ４０４の他に、データ書き込み部４０１などを備えている。
【００３３】
前記ＣＰＵ４０２は、全体の動作を統括制御するものであり、また、ＲＡＭ４０３は、ＣＰＵ４０２の動作領域を提供するメモリである。また、ＲＯＭ４０４は、ＣＰＵ４０２の動作プログラムを格納するメモリである。
【００３４】
前記データ書き込み部４０１は、入力データなどを不揮発性メモリ３０４に書き込むためのものである。
【００３５】
前記表示部３１１は、例えば液晶素子（ＬＣＤ）などからなり、前記操作部３０５の一部を構成している。
【００３６】
前記画像メモリ３１２は、読み込んだ画像データあるいは外部装置から送信されてきた画像データ等を一時格納するものである。
【００３７】
前記画像読み取り部３０３は、原稿Ｍの画像をＱＲコードＤと共に読み込むスキャナで構成されている。
【００３８】
前記画像形成部３０４は、読み込んだ画像Ｇや外部から送信されてきた画像データを、ＱＲコードＤの変換後のデータと共に印刷するものである。
【００３９】
つぎに、この画像形成装置１００により、ＱＲコードを含む画像を読み込んで印刷する動作について説明する。
〔Ｉ〕画像読み取り部３０３で読み取ったＱＲコードＤ付の原稿画像を「縮小印刷（縮小コピー）」する指示を受けた場合。
【００４０】
前記制御部３１０では、ＱＲコードＤの読み取り可能な程度の縮小であれば、通常の縮小印刷を行うように制御する。また、ＱＲコードＤが読取り不可能となる大きさまで縮小される場合は、前記画像変換部３０６により、以下の（１）〜（３）の画像変換を行わせる。
（１）ＱＲコードＤをミニＱＲコードｄに変換する場合。
【００４１】
図２に示すように、原稿Ｍの画像Ｇの他に、ＱＲコードＤ・・・が付されており、この原稿画像Ｇと共にＱＲコードＤ・・・を読み取って用紙Ｐに印刷するものとする。
【００４２】
ＱＲコードＤ・・・が読取り不可能となる大きさまで縮小される縮小指示の場合、ＱＲコードＤ・・・の各情報のデータ量を判断して、データ量が一定未満の場合には、図３に示すように、画像変換部３０６により元の二次元コードＤを小形化したミニＱＲコードｄ・・・に変換したのち、画像形成部３０４により用紙Ｐに印刷する。これにより、前記画像Ｇを縮小印刷した場合でも、ＱＲコードＤ・・・が必要以上に縮小される場合と違って、ＱＲコードＤ・・・が小形化されたミニＱＲコードｄ・・・の印刷画像は鮮明であり、その読み取りが可能となる。
（２）複数のＱＲコードＤ１〜Ｄ３をまとめて１つのＱＲコードＤ０に変換する場合。
【００４３】
図４に示すように、原稿Ｍに画像Ｇの他に、複数のＱＲコードＤ１〜Ｄ３が付されており、この原稿画像Ｇと共に、ＱＲコードＤ１〜Ｄ３を読み取って用紙Ｐに印刷するものとする。
【００４４】
画像変換部３０６は、ＱＲコードＤ１〜Ｄ３に含まれる情報をまとめ、１つのＱＲコードＤ０に変換する。そして、変換後のＱＲコードＤ０を、縮小することなく、元のＱＲコードＤ１〜Ｄ３とほぼ同じ大きさのまま、印刷画像形成部３０４により用紙Ｐに印刷する。
【００４５】
１つのＱＲコードＤ０に変換することにより、ＱＲコードＤ０が用紙Ｐ上で占有する面積が小さくなる。このため、一つになったＱＲコードＤ０を図６に示すように、用紙Ｐの余白部分Ｐａに自動配置して印刷させることができる。
【００４６】
つまり、１つのＱＲコードＤ０に変換することにより、縮小印刷が指示されている場合でも、一つのＱＲコードＤ０を縮小することなく印刷されるため、読み取りが可能となる。
【００４７】
この場合、元のＱＲコードＤ１〜Ｄ３に含まれる情報（図５）と、まとめられた一つのＱＲコードＤ０の情報を対比できるように、ＱＲコードＤ１〜Ｄ３の各情報の識別情報として、例えば図７に示すような丸数字１〜３を付して１つのＱＲコードＤ０に変換する。そして、各識別情報である丸数字１〜３を、図６に示すように、元のＱＲコードＤ１〜Ｄ３が存在していた位置にそれぞれ印刷する構成としても良い。このような構成とした場合には、変換前後の二次元コードを比較して把握することができる。
（３）印刷後の二次元コードが読み取り不可能な大きさに縮小されることが制御部３０１により認識された場合。
【００４８】
この場合には、指示された縮小倍率にかかわらず、画像変換部３０６は、二次元コードに含まれる情報を読み取り可能な大きさの二次元コードに変換する。
【００４９】
そして、画像形成部３０４は、前記変換された二次元コードを用紙の余白に印刷する。
【００５０】
なお、二次元コード以外の画像は、指定された縮小倍率で縮小されて印刷される。
【００５１】
このように、指示された縮小倍率にかかわらず、二次元コードに含まれる情報は読み取り可能な大きさの二次元コードに変換され、かつ用紙の余白に印刷されるから、印刷後に二次元コードを支障なく読み取ることができる。
【００５２】
なお、ＱＲコードに含まれる情報のデータ量を判断し、一定量未満の場合には前述した（１）のミニＱＲコードへの変換処理を行い、一定量以上の場合にこの（３）の変換処理を行っても良い。
（４）ＱＲコードＤ１，Ｄ２の情報を文字データに変換して表示する場合。
【００５３】
図８に示すように、原稿Ｍに画像Ｇの他に、ＱＲコードＤ１，Ｄ２が付されており、この原稿画像Ｇと共に、ＱＲコードＤ１，Ｄ２を読み取って用紙Ｐに印刷するものとする。
【００５４】
ＱＲコードＤ１，Ｄ２が読取り不可能となる大きさまで原稿画像を縮小印刷する指示に対して、ＱＲコードＤ１，Ｄ２を読み取り可能な大きさに変換して用紙の余白に印刷できない場合には、ＱＲコードＤ１，Ｄ２に含まれる各情報（図９）をそのまま、図１０に示すように、用紙Ｐの余白Ｐａに印刷する。これにより、ＱＲコードＤ１，Ｄ２の情報内容が文字データで表示されることになり、ＱＲコードＤ１，Ｄ２の内容を把握することが可能となる。この例では、ＱＲコードＤ１，Ｄ２に含まれる情報がＵＲＬである場合を示しているが、ＵＲＬに限定されることはない。
〔II〕ＱＲコードＤを含む画像を読み取って印刷する際に、トナー消費量を減らしたい場合は、以下の（１）（２）の方法を採る。
（１）ＱＲコードＤをミニＱＲコードｄに変換する場合。
【００５５】
図１１に示すように、ＱＲコードＤの情報のデータ量を判断して、データ量が一定量未満で、ミニＱＲコーｄドに変換できる場合は、図１２に示すように、ミニＱＲコードｄに変換して印刷させることにより、トナーの消費量が減少される。
（２）複数のＱＲコードＤ１〜Ｄ３をまとめて１つのＱＲコードＤ０に変換する場合。
【００５６】
図１３に示すように、複数のＱＲコードＤ１〜Ｄ３に含まれる情報のデータ量を判断して、１つのＱＲコードに変換可能であれば、図１５に示すように、１つのＱＲコードＤ０に変換してから用紙Ｐに印刷させる。これにより、ＱＲコードＤ０の面積が少なくなった分、用紙Ｐに印刷した際のトナーの消費量を減らすことができる。
【００５７】
この場合、元のＱＲコードＤ１〜Ｄ３に含まれる情報に、図１６に示すように、識別情報として丸数字１〜３などを不可した状態で変換するとともに、元のＱＲコードＤ１〜Ｄ３が存在していた位置に、図１５に示すように対応する丸数字１〜３などを印刷して表示しておくとよい。
【００５８】
つぎに、ＱＲコードＤが付された原稿画像を読み取ってコピー処理する流れを図１７のフローチャートを参照して説明する。
【００５９】
図１７において、ステップＳ１では、原稿画像Ｇと共にＱＲコードＤを読み込んだか否かを判断し、ＱＲコードＤを読み込んでいなければ（ステップＳ１でＮＯ）、ステップＳ１に戻って読み込みの判断を繰り返す。ＱＲコードＤを読み込んでいれば（ステップＳ１でＹＥＳ）、ステップＳ２に進む。
【００６０】
ステップＳ２では、読み込んだＱＲコードＤを含む画像データを縮小印刷する指示がなされているか否かを判断し、縮小印刷する指示がなされていなければ（ステップＳ２でＮＯ）、ステップＳ８で通常印刷を行ってから、終了する。なお、この場合、上記［II］で説明したトナー量を減らした印刷指示がなされているかどうかを判断して、指示されている場合には、上記［II］の内容を実施する構成としても良い。
【００６１】
ステップＳ２で、縮小印刷する指示がなされていれば（ステップＳ２でＹＥＳ）、ステップＳ３に進む。
【００６２】
ステップＳ３では、縮小印刷した場合、ＱＲコードＤの読み取りが可能か否かを判断し、縮小印刷しても、ＱＲコードＤの読み取りが可能であれば（ステップＳ３でＹＥＳ）、ステップＳ６では、縮小印刷を行ってから、終了する。縮小印刷すると、ＱＲコードＤの読み取りが不可能であれば（ステップＳ３でＮＯ）、ステップＳ４では、ＱＲコードＤの内容に応じた形態に変換する。この処理については後述する。
【００６３】
ついで、ステップＳ５では、変換したＱＲコードを用紙Ｐの余白Ｐａに印刷可能かどうかを判断し、印刷可能であれば（ステップＳ５でＹＥＳ）、ステップＳ６では、変換されたＱＲコードを縮小された原稿画像と共に印刷して終了する。
【００６４】
変更後のＱＲコードを用紙の余白に印刷できない場合には（ステップＳ５でＮＯ）、ステップＳ７では、ＱＲコードＤに含まれる情報をＱＲコードに変換しない形態で印刷したのち、終了する。
【００６５】
つぎに、前記ＱＲコードＤの内容に応じて形態を変換する処理（ステップＳ４）のサブルーチンを、図１８に示すフローチャートを参照して説明する。
【００６６】
図１８において、ステップＳ４１では、ＱＲコードＤが複数か否かを判断し、ＱＲコードＤが複数でなれば（ステップＳ４１でＮＯ）、ステップＳ４４に進み、ＱＲコードＤが複数であれば（ステップＳ４１でＹＥＳ）、ステップＳ４２に進む。
【００６７】
ステップＳ４２では、各ＱＲコードＤ１〜Ｄ３に識別情報を設け、各ＱＲコードＤ１〜Ｄ３の情報を一つにまとめるとともに、一つのＱＲコードＤ０に変換したのち、リターンする。
【００６８】
一方、ステップＳ４４では、ＱＲコードＤのデータが一定量未満か否かを判断し、ＱＲコードＤのデータが一定量未満でなければ（ステップＳ４４でＮＯ）、読み取り可能な大きさに変換したのち、リターンする。ＱＲコードＤのデータが一定量未満であれば（ステップＳ４４でＹＥＳ）、ステップＳ４５で、ＱＲコードＤをミニＱＲコードｄに変換したのち、リータンする。
【００６９】
以上の実施形態では、二次元コードとしてＱＲコードを例示したが、ＱＲコード以外の二次元コードが画像に付されている場合であっても、同様に適用することができる。
【図面の簡単な説明】
【００７０】
【図１】この発明の一実施形態に係る画像形成装置の電気的構成を示すブロック図である。
【図２】画像と共にＱＲコードが付された原稿の概要を示す平面図である。
【図３】図２の原稿画像を縮小印刷する指示があった場合に、ＱＲコードをミニＱＲコードに変換して用紙に印刷した概要を示す平面図である。
【図４】画像と共に複数のＱＲコードが付された原稿の概要を示す平面図である。
【図５】図４の複数のＱＲコードの情報の説明図である。
【図６】図５の原稿画像を縮小印刷する指示があった場合に、複数のＱＲコードをまとめて一つのＱＲコードに変換して用紙に印刷した概要を示す平面図である。
【図７】図６の一つのＱＲコードの情報の説明図である。
【図８】画像と共に複数のＱＲコードが付された別の原稿の概要を示す平面図である。
【図９】図８の複数のＱＲコードの情報の説明図である。
【図１０】図５の原稿画像を縮小印刷する指示があった場合に、読み取り不可能となるために複数のＱＲコードの情報を文字データに変換して用紙に印刷した概要を示す平面図である。
【図１１】別の実施形態において、画像と共にＱＲコードが付された原稿の概要を示す平面図である。
【図１２】印刷時のトナー量を減らすために、ＱＲコードをミニＱＲコードに変換して用紙に印刷した概要を示す平面図である。
【図１３】別の実施形態において、画像と共に複数のＱＲコードが付された原稿の概要を示す平面図である。
【図１４】図１３の複数のＱＲコードの情報の説明図である。
【図１５】印刷時のトナー量を減らすために、複数のＱＲコードをまとめて一つのＱＲコードに変換して用紙に印刷した概要を示す平面図である。
【図１６】図１５の一つのＱＲコードの情報の説明図である。
【図１７】ＱＲコードＤが付された原稿画像を読み取って印刷する処理の流れを示すフローチャートである。
【図１８】ＱＲコードＤの内容に応じた形態に変換する処理（図１７のＳ４）のサブルーチンを示すフローチャートである。
【符号の説明】
【００７１】
１００              画像形成装置
３０３              読み取り部
３０４              画像形成部
３０６              画像変換部
３０８              データ判断部
３１０              制御部
Ｄ（Ｄ１〜Ｄ３）    二次元コード（ＱＲコード）
ｄ（ｄ１〜ｄ３）    ミニ二次元コード（ミニＱＲコード）
Ｄ０                一つにまとめた二次元コード（ＱＲコード）
Ｇ                  画像
Ｐ                  用紙
Ｐａ                用紙の余白
【図１】
0004591372.tif 000002
【図２】
0004591372.tif 000003
【図３】
0004591372.tif 000004
【図４】
0004591372.tif 000005
【図５】
0004591372.tif 000006
【図６】
0004591372.tif 000007
【図７】
0004591372.tif 000008
【図８】
0004591372.tif 000009
【図９】
0004591372.tif 000010
【図１０】
0004591372.tif 000011
【図１１】
0004591372.tif 000012
【図１２】
0004591372.tif 000013
【図１３】
0004591372.tif 000014
【図１４】
0004591372.tif 000015
【図１５】
0004591372.tif 000016
【図１６】
0004591372.tif 000017
【図１７】
0004591372.tif 000018
【図１８】
0004591372.tif 000019